(57)【特許請求の範囲】
【請求項１】
建物本体と、この建物本体の上面に据えつけられる屋根構造体とからなり、
建物本体が、複数の箱型の建物ユニットを隣接配置してなる建物ユニット群で構築された建物であって、
最上階の各建物ユニットの上面を略平坦とし、
滑止処理の施されたシート状の防水被覆材を、略平坦な上面を有する最上階の建物ユニットのそれぞれに対して、内側へ折り畳んだ状態で予め取付けておくと共に、該防水被覆材を拡げ得るよう構成したことを特徴とする建物。
【請求項２】
互いに隣接する最上階の建物ユニットの上面端部間に薄板鋼板を掛け渡すと共に、建物ユニットの外側へ拡げた前記防水被覆材で薄板鋼板を被覆し得るようにしたことを特徴とする請求項１記載の建物。
【請求項３】
前記防水被覆材の端縁に、互いに隣接する最上階の建物ユニットの上面端部間の位置で相互に防水連結させる連結手段を設けたことを特徴する請求項１又は２に記載の建物。
【請求項４】
前記連結手段はチャック式ファスナであることを特徴とする請求項３記載の建物。
【請求項５】
互いに隣接する最上階の建物ユニットの複数の柱が突き合わせられる柱継ぎ部分で前記防水被覆材端縁を立上がらせて立上がり部を形成し、
前記柱の上面部へ上方から装着される屋根フレームジョイント柱に、前記立上がり部を覆う水切りスカートを設け、
該水切りスカートが前記防水被覆材と当接する部分に、予め防水シール材を設けたことを特徴とする請求項１乃至４の何れか一項記載の建物。
【請求項６】
最上階の建物ユニットの天井部分に設けられた点検用開口に、該点検用開口周縁の上面と略面一高さの上面部を有する補強鋼板を着脱可能に取付けると共に、
該補強鋼板の上から前記防水被覆材を被覆しておき、
点検用開口から補強鋼板を取外して防水被覆材を切り開くことにより、点検口となし得るように構成したことを特徴とする請求項１乃至５の何れか一項記載の建物。
【請求項７】
複数の箱型の建物ユニットを隣接配置してなる建物ユニット群によって建物本体を構築し、この建物本体の上面に屋根構造体を据えつける建物の施工方法であって、
最上階の各建物ユニットの上面を略平坦として、
滑止処理の施されたシート状の防水被覆材を、略平坦な上面を有する最上階の建物ユニットのそれぞれに対して、内側へ折り畳んだ状態で予め取付けておき、
建物ユニットを据え付けた後、各防水被覆材を拡げるようにすることを特徴とする建物の施工方法。
【請求項８】
互いに隣接する最上階の建物ユニットの上面端部間に継ぎ被覆材を取り付けた後、この継ぎ被覆材と拡げた防水被覆材とを重ね合わせて貼付けることを特徴とする請求項７記載の建物の施工方法。
【発明の詳細な説明】
【０００１】
【発明の属する技術分野】
本発明は、施工前または施工中の雨仕舞いを改善した建物と、建物の施工方法に関する
。
【０００２】
【従来の技術】
従来の建物は、据え付け当日に屋根施工するか、あるいは特殊な雨天の雨仕舞いを行っている。例えば、特開昭５９−２４０７０号公報記載のユニット建物の雨天据え付け方法は、建物ユニットの上部を排水ホース付きの透明プラスチックシートで覆い、これにより雨天の雨仕舞いを行っている。
【０００３】
また、特公昭６２−６０６６号公報記載の家屋建築現場の覆いは、空気より軽いガスを封入して膨張させた幕体であって、この幕体で建物の上部を覆い雨天の雨仕舞いを行っている。
【０００４】
また、特開平５−２４８００４号公報記載の屋根上構造体の据え付け構造においては、建物ユニットの上面に防水被覆板を被着することによりフラットな防水面を形成し、この防水被覆板の上部に屋根ユニットを構築したものである。
【０００５】
【発明が解決しようとする課題】
しかしながら、上記公報記載の従来技術は、排水ホースの取り付け、幕体を膨張させる作業、あるいは特殊な加工が施された防水被覆板の取り付け等、いずれも、施工現場で特殊な雨仕舞いを行うものであるから、この雨仕舞いの施工に手間がかかったり、高価な費用がかかるという問題がある。
【０００６】
本発明は、上記の問題を解決するためになされたものであって、本発明の目的は、屋根施工までの雨仕舞いが容易で、安価となるように改善した建物と、建物の施工方法を提供することである。
【０００７】
【課題を解決するための手段】
請求項１記載の発明は、建物本体と、この建物本体の上面に据えつけられる屋根構造体とからなり、建物本体が、複数の箱型の建物ユニットを隣接配置してなる建物ユニット群で構築された建物であって、最上階の各建物ユニットの上面を略平坦とし、滑止処理の施されたシート状の防水被覆材を、略平坦な上面を有する最上階の建物ユニットのそれぞれに対して、内側へ折り畳んだ状態で予め取付けておくと共に、該防水被覆材を拡げ得るよう構成した建物を特徴としている。
【０００８】
このように構成された請求項１記載の建物は、建物本体の上面が略平坦になされ、予め防水被覆材で被覆されているので、施工時に雨が降っても上面に水溜まりが生じ難く、雨天の雨仕舞いが容易で、安価となる。また、平坦な足場が確保できるので、屋根作業が安全である。
【０００９】
また、建物本体が複数の建物ユニットを隣接配置してなる建物ユニット群で建物本体が構築され、この建物本体の上面に据えつけられる屋根構造体は、屋根ユニットでもよいが、ユニット工法にとらわれることなく、在来工法が採用できるため、一般の自動設計ツール（住宅ＣＡＤ等）に乗りやすくなる。また、建物本体全体に屋根架構ができるため、最適な部材配置やメンバーが採用でき、無駄を排除して材料コストを下げることができる。
【００１０】
更に、前記防水被覆材が、滑止処理の施されたシート状をしているので前記建物ユニットの上での作業性が良好で安全である。
【００１１】
加えて、防水被覆材を、内側へ折り畳んだ状態で、建物ユニットの天井部に取付けているので、運搬時に防水被覆材が破損されてしまうようなことが防止される。
【００１２】
また、請求項２記載の発明は、互いに隣接する最上階の建物ユニットの上面端部間に薄板鋼板を掛け渡すと共に、建物ユニットの外側へ拡げた前記防水被覆材で薄板鋼板を被覆し得るようにした請求項１記載の建物を特徴としている。
【００１３】
このように構成された請求項２記載の発明は、薄板鋼板が、互いに隣接する最上階建物ユニットの上面端部間に掛け渡されて間隙が埋められる。このため、前記防水被覆材の上から作業者が、該間隙部分を足場としても、該薄板鋼板によって下方から該防水被覆材が支持され、足場として利用可能な面積が拡大されて、更に、施工作業性を良好なものとすることが出来る。
【００１４】
そして、請求項３に記載されたものでは、前記防水被覆材の端縁に、互いに隣接する最上階の建物ユニットの上面端部間の位置で相互に防水連結させる連結手段を設けた請求項１または２に記載の建物を特徴としている。
【００１５】
このように構成された請求項３記載のものでは、連結手段が、互いに隣接する最上階の建物ユニットの上面端部間位置で、前記防水被覆材端縁間を防水連結する。このため、防水被覆材の両端縁間から建物ユニット間に雨水が進入する虞が減少する。
【００１６】
また、請求項４に記載されたものでは、前記連結手段はチャック式ファスナである請求項３記載の建物を特徴としている。
【００１７】
このように構成された請求項４記載のものでは、チャック式ファスナによって前記連結手段が形成されているので、ファスナを閉じることにより、防水被覆材の両端縁間から建物ユニット間に雨水が進入する虞を減少させることが出来る。このため、更に、高所作業を減少させて施工性が良好である。
【００１８】
そして、請求項５に記載されたものでは、互いに隣接する最上階の建物ユニットの複数の柱が突き合わせられる柱継ぎ部分で前記防水被覆材端縁を立上がらせて立上がり部を形成し、前記柱の上面部へ上方から装着される屋根フレームジョイント柱に、前記立上がり部を覆う水切りスカートを設け、該水切りスカートが前記防水被覆材と当接する部分に、予め防水シール材を設けた請求項１乃至４の何れか一項記載の建物を特徴としている。
【００１９】
このように構成された請求項５記載のものでは、柱継ぎ部分では、該柱の上面部へ上方から屋根フレームジョイント柱が装着される。そして、該屋根フレームジョイント柱の下部外側縁に設けられた水切りスカートが、装着状態で、柱継ぎ部分側の防水被覆材端縁の立上がり部近傍と重複する。該水切りスカートの前記防水被覆材への当接部分には、予め防水シール材が設けられているので、該屋根フレームジョイント柱を装着するだけで、該水切りスカートと、防水被覆部材との間の間隙が、該防水シール材によって埋められてシールされる。このため、施工性が良好である。
【００２０】
また、請求項６に記載されたものでは、最上階の建物ユニットの天井部分に設けられた点検用開口に、該点検用開口周縁の上面と略面一高さの上面部を有する補強鋼板を着脱可能に取付けると共に、該補強鋼板の上から前記防水被覆材を被覆しておき、点検用開口から補強鋼板を取外して防水被覆材を切り開くことにより、点検口となし得るように構成した請求項１乃至５の何れか一項記載の建物を特徴としている。
【００２１】
このように構成された請求項６記載のものでは、凹設された点検用開口に、該点検用開口周縁の上面と、略面一高さの上面部を有する前記補強鋼板が設けられているので、該補強鋼板の上から被覆した前記防水被覆材の上から作業者が、該点検用開口部分を足場としても、該補強鋼板によって下方から該防水被覆材が支持され、足場として利用可能な面積が拡大されて、更に、施工作業性を良好なものとすることが出来る。
【００２２】
また、請求項７に記載されたものでは、複数の箱型の建物ユニットを隣接配置してなる建物ユニット群によって建物本体を構築し、この建物本体の上面に屋根構造体を据えつける建物の施工方法であって、最上階の各建物ユニットの上面を略平坦として、滑止処理の施されたシート状の防水被覆材を、略平坦な上面を有する最上階の建物ユニットのそれぞれに対して、内側へ折り畳んだ状態で予め取付けておき、建物ユニットを据え付けた後、各防水被覆材を拡げるようにする建物の施工方法を特徴としている。
【００２３】
このように構成された請求項７記載のものでは、請求項１と同様の作用効果を得ることができる。
【００２４】
そして、請求項８に記載されたものでは、互いに隣接する最上階の建物ユニットの上面端部間に継ぎ被覆材を取り付けた後、この継ぎ被覆材と拡げた防水被覆材とを重ね合わせて貼付ける請求項７記載の建物の施工方法を特徴としている。
【００２５】
このように構成された請求項８記載のものでは、互いに隣接する最上階の建物ユニットの上面端部間に継ぎ被覆材を取り付け、この継ぎ被覆材と最上階の建物ユニット上面を被覆する防水被覆材とを重ね合わせて貼付け、その後、屋根構造体を施工するものであるから、建物ユニット上面の雨仕舞いと建物ユニット間の雨仕舞いができる。
【００２６】
【発明の実施の形態１】
以下、本発明の実施の形態１を図面を参照して説明する。
【００２７】
図１〜図１０は、本発明の実施の形態１であって、図１は建物の説明図、図２は建物本体の説明図、図３は建物本体の施工方法を示す説明図、図４は図３の建物本体に屋根構造体を施工する施工方法の説明図、図５は最上階の建物ユニットの上面を防水被覆材で被覆する被覆方法を示す説明図、図６は防水被覆材と継ぎ被覆材とを重ね合わせて貼付ける貼付け方法を示す説明図、図７は四隅の建物ユニットの上面を被覆する方法を示す説明図、図８は四隅の被覆に使用する継ぎ被覆材の斜視図、図９は継ぎ被覆材同士の接合方法を示す説明図、図１０は防水被覆材と継ぎ被覆材の固定方法を示す説明図である。
【００２８】
図１および図２において、１は建物であって、この建物１は、建物本体２と、この建物本体２の上面に据え付けられる屋根構造体５とからなり、上記建物本体２の上面が平坦になされ、防水被覆材６で被覆されているものである。
【００２９】
上記建物本体２は、１階部分を構成する複数の建物ユニット３、３と、２階部分を構成する複数の建物ユニット４、４とを隣接配置してなる建物ユニット群で構築されている。なお、本発明における建物ユニットとは、パネルからなる壁式ユニット、柱と梁とからなる軸組式ユニットなどのほぼ箱型に形成されたものを意味している。上記２階部分を構成する建物ユニット４は、床パネル４３の周縁に壁パネル４１が立設され、この壁パネル４１の上に天井パネル４２が取り付けられている。この天井パネル４２は、居室側に向けて天井面材４４が取り付けられ、屋根側に向けて上面材４５が取り付けられ、この上面材４５により建物ユニット４、４の上面が平坦になされている。
【００３０】
上記建物ユニット４の上面（上面材４５）は、防水被覆材６で被覆されている。この防水被覆材６は、図２に示すように、建物本体２を施工現場で構築後に被覆してもよいが、後述するように、建物ユニット４の上面に予め工場等で被覆しておき、施工現場で継ぎ合わせてもよい。また、防水被覆材６は、建物本体２全体を覆うことができるもの、あるいは複数枚を施工現場で継ぎ合わせたもの、いずれでもよい。
【００３１】
上記防水被覆材６の材質は、ノンスリップ材料（一般的なプラスチック用充填材料）を含有したり、或いは、表面に凹凸を設ける等の滑止処理の施されたポリエチレンやポリ塩化ビニル等の合成樹脂フィルムまたはシート（厚さ約１５０μｍ）、防水処理された織布または不織布、発泡ポリエチレンシート等を好適に使用できる。
【００３２】
上記防水被覆材６で被覆された建物本体２の上面に、屋根構造体５が据え付けられているが、この屋根構造体５は、予め工場等で組み立てられた屋根ユニットであってもよいが、屋根ユニットに限定されるものでなく、屋根パネルであってもよく、或いは、在来工法により施工現場で屋根架構するものであってもよい。
【００３３】
次に、上記建物１の施工方法を図３〜図１０を参照して詳細に説明する。
【００３４】
本実施例における建物１は、上述の建物ユニット３、４を上下階に複数隣接配置したもので、工場等で組み立てられた建物ユニット４の上面が予め防水被覆材６で被覆されているものである。この防水被覆材６は、図５に示すように、取付け面に粘着テープ６１、６２を貼着しておき、粘着テープ６２により建物ユニット４の上面に貼付け、粘着テープ６１は、離型紙を取り付けたままにしておき、後述する継ぎ被覆材７との貼り合わせに使用する。
【００３５】
まず、建物ユニット３、３を基礎に据え付けて１階部分を構築し、この建物ユニット３、３の上に、上面が平坦になされ、防水被覆材６で被覆された建物ユニット４、４を据えつけ、建物本体２を構築する。
【００３６】
ついで、図６に示すように、隣接する建物ユニット４、４の上面端部間に継ぎ被覆材７をタッカー７１を打ち込んで取り付け、この継ぎ被覆材７と前記防水被覆材６とを重ね合わせ、粘着テープ６１にて貼付ける。
【００３７】
また、図７に示すように、４つの建物ユニット４、４・・の角部が突き合わされるところにおいては、継ぎ被覆材７の端部７２を折り曲げておき、図８（ロ）図に示すような箱状継ぎ被覆材８を挿入して取り付ける。なお、この箱状継ぎ被覆材８は、図８（イ）図に示すように、十字形状のシート材８０の側片８１を折り曲げて形成されている。
【００３８】
上記継ぎ被覆材７と箱状継ぎ被覆材８とは、図に示すいずれかの方法で接合される。すなわち、図９（イ）図に示すように、折り曲げた継ぎ被覆材７の端部７２と、箱状継ぎ被覆材８の側片８１とを突き合わせ、ジップロック９を取り付けて接合し、（ロ）図のように、一方側に倒して適宜の手段で固定する。
【００３９】
あるいは、（ハ）図と（ニ）図に示すように、上記ジップロック９１で挟み込んで接合してもよいし、（ホ）図に示すように、Ｕ字状の接合部材９２で端部を接合してもよい。
【００４０】
また、図１０に示すように、防水被覆材６と継ぎ被覆材７とが重ね合わされた上面材４５の角部に、コ字形状の接合部材１０を挿入して固定しておくとよい。
【００４１】
上記のようにして、建物本体２の隣接する建物ユニット４、４の上面を防水被覆材６と継ぎ被覆材７とで被覆するが、その被覆状態の詳細を図３に示す。その後、この建物本体２の上に屋根フレームの桁梁５１を設置し、この桁梁５１に取り付けられた小屋組受け金具５２により屋根構造体５を構築し、建物１を完成する（図４参照）。この際、屋根構造体５は、建物本体２の構築と同時であってもよいが、後日であってもよい。
【００４２】
なお、壁パネル４１の屋外側に断熱材４１１が取り付けられているが、この断熱材４１１は透湿防水フィルム４１２で覆われているので、建物ユニット４の壁面はこの透湿防水フィルム４１２で雨仕舞いされる。４１３は外壁であって、この外壁４１３は、上記断熱材４１１との間に通気層空間を形成して取り付けられている。
【００４３】
上述してきたように、本実施の形態１の建物１とその施工方法は、上面が平坦になされた上階の建物ユニット４の上面を防水被覆材６で被覆した後、屋根構造体５を施工するものであるから、屋根構造体５の施工が建物本体２の構築の後日になっても、防水被覆材６で雨仕舞いできる。
【００４４】
また、上階の建物ユニット４の上面が平坦になされているので、施工時に雨が降っても上面に水溜まりが生じ難く、雨天の雨仕舞いが容易で、安価となる。
【００４５】
また、本実施の形態１において、互いに隣接する上階の建物ユニット４、４の上面端部間に継ぎ被覆材７、８を取り付け、この継ぎ被覆材７、８と防水被覆材６とを重ね合わせて貼付け、その後、屋根構造体５を施工するものであるから、建物ユニット４上面の雨仕舞いと建物ユニット４、４間の雨仕舞いができる。
【００４６】
【実施の形態２】
図１１〜図１６には、実施の形態２の建物と建物の施工方法を示す。なお、前記実施の形態１と同一乃至均等な部分については、同一符号を附して説明する。
【００４７】
この実施の形態２では、建物ユニット４は４隅の柱４本とこの柱間を連結する４本の床梁とによりほぼ箱型に形成されたものであって、建物ユニット４の天井部を、凹部が全く存在しないように平坦化する。そのために、各建物ユニット４の各コーナー部分に設置されるユニット柱１０１の頭部、即ち、ユニット柱頭１０２と面一になる足場板１０３を天井パネル４２の上に設置する。
【００４８】
そして、足場板１０３の上面に、天井部よりも一回り大きい防水被覆材６を、内側へ折り畳んで粘着テープ１０４で仮止めした状態で取付ける。防水被覆材６は、例えば、厚さ約１５０μｍのポリエチレンシートなどの合成樹脂製シートを用いる。特に、ノンスリップ材料を含有することにより滑止処理を施されたポリエチレンシートを用いるのが好ましい。防水被覆材６は、工場で予め足場板１０３の上面に粘着テープ６２で貼り付けておくようにする。
【００４９】
以上のような構成によれば、建物ユニット４を据え付けた後、図１２、図１３に示すように、足場板１０３の上に内側へ折り畳んだ状態で取付けられた防水被覆材６を拡げ、防水被覆材６の端部を建物ユニット４の外側へ垂らすようにする。特に、隣接する建物ユニット４がある場合には、防水被覆材６の端部を建物ユニット４の継目線１０５の間へ垂らすようにする。
【００５０】
このようにすることにより、据え付け当日が雨天であっても、建物ユニット４の内部を濡らすことなく、据え付け作業を実施することができる。
【００５１】
また、建物ユニット４の天井部を、凹部が全く存在しないように平坦化しているので、図１６に示すように、天井部に雨が溜まって排水できなくなるようなことが防止される。
【００５２】
天井部を平坦化するために、天井部の上に足場板１０３を設置しているので、図１４に示すように、作業者は、天井部を足場として作業を行うことができ、作業性を向上することができる。この際、防水被覆材６として滑止処理を施されたポリエチレンシートを用いることにより、作業員の転倒事故を防止して安全に作業を行わせることができる。
【００５３】
そして、防水被覆材６の上に降った雨は、図１５に示すように、建物ユニット４の外側や建物ユニット４の継目の間へ排水される。
【００５４】
また、 図１１に示すように、防水被覆材６を、内側へ折り畳んだ状態で、建物ユニット４の天井部に取付けているので、運搬時に防水被覆材６が破損されてしまうようなことが防止される。
【００５５】
上記以外については、前記実施の形態と同様の構成を備えており、同様の作用・効果を得ることができる。
【００５６】
【実施の形態３】
図１７〜図３７には、実施の形態３の建物と建物の施工方法を示す。なお、前記各実施の形態と同一乃至均等な部分については、同一符号を附して説明する。
【００５７】
この実施の形態３では、建物ユニット４は上記実施の形態２と同様の構成を備えたものとし、建物ユニット４間の継目線１０５部分に、木ネジやラッパネジなどのネジ１０６を用いて薄板鋼板１０７（渡鋼板）を足場板１０３とほぼ面一に取付けるようにする。この際、図１９、図２０に示すように、前記継目線１０５部分に対し、短冊状をした複数枚の薄板鋼板１０７を突合せて配置して行くようにする。各薄板鋼板１０７は、四隅を斜めに切断されており、突合せによってできる切断部分の角部１０８を足場板１０３の側面に位置合せして配置するようにする。また、図２０に示すように、薄板鋼板１０７は、ユニット柱頭１０２に対して重ならないようにする。図２１、図２２に示すように、継目線１０５部分の中途部にユニット柱頭１０２があるような場合には、薄板鋼板１０７に切欠１０９を設けて、ユニット柱頭１０２に重ならないようにする。
【００５８】
そして、建物ユニット４間の継目線１０５部分に薄板鋼板１０７が取付けられたら、内折りされた状態の防水被覆材６を拡げて、建物ユニット４の外側を覆わせるようにする。なお、本実施の形態では、防水被覆材６をゴムで作り、図１８に示すように、天井部にタッカー１１４で取付けるようにしても良い。防水被覆材６をゴムで作った場合、タッカーの釘孔がゴムの弾性でシールされることとなるので、防水被覆材６をタッカーなどで直接固定することが可能となる。
【００５９】
そして、隣接する建物ユニット４間の位置では、図２３に示すように、防水被覆材６の対応する縁部に設けられた連結手段１１０で連結するようにする。連結手段１１０としては、例えば、図２４〜図２８に示すような、チャック式ファスナ１１１などを用いる。チャック式ファスナ１１１は、防水被覆材６の対応する縁部に形成されたシートファスナ１１２と、両シートファスナ１１２を嵌合させるためのチャック部１１３とで構成される。
【００６０】
隣接する防水被覆材６を連結手段１１０で連結したら、ユニット柱頭１０２に対応する部分を立上がらせるようにする。防水被覆材６は、連結後に立上がり部１１５が形成されるように予め端部を加工しておくが、立上がり部１１５に十分な立上がり形状が得られない場合には、立上がり保持プレート１１６などを粘着テープ１１７で取付けるようにしても良い。なお、立上がり部１１５その他の防水被覆材６は、要所を粘着テープで建物ユニット４のコーナー部に貼り付けるようにする。
【００６１】
防水被覆材６の端部に立上がり部１１５が形成されたら、図２９に示すように、樹脂製の水切りスカート１１８が形成された屋根梁ジョイント柱１１９を防水被覆材６の立上がり部１１５を覆うようにユニット柱頭１０２に取付ける。ユニット柱頭１０２には、接合ボルト１２０と位置決め用の柱頭ジョイントピン１２１とが突設されており、屋根梁ジョイント柱１１９の底部に形成された貫通孔１２２，１２３を接合ボルト１２０と位置決め用の柱頭ジョイントピン１２１にそれぞれ通して、屋根梁ジョイント柱１１９の上部に形成された作業孔１２４から接合ボルト１２０へナット１２５を螺着することにより、ユニット柱頭１０２に屋根梁ジョイント柱１１９を固定する。また、水切りスカート１１８には、シール用のスーパーシートなどの防水シール材１２６が予め取付けられている。
【００６２】
この際、ユニット柱頭１０２が１つの場所には、図３０に示すような１連用の屋根梁ジョイント柱１１９を、ユニット柱頭１０２が２つの場所には、図３１に示すような２連用の屋根梁ジョイント柱１１９を、ユニット柱頭１０２が４つの場所には、図３２〜図３４に示すような４連用の屋根梁ジョイント柱１１９を用いるようにする。なお、２連用と４連用の屋根梁ジョイント柱１１９は、重量があるので、アイボルト１２７を取付けてクレーン１２８などで吊上げ得るようにする。
【００６３】
そして、図３５に示すように、屋根梁ジョイント柱１１９の側部に屋根フレーム１２９の妻梁１３０と桁梁１３１を当接し、屋根梁ジョイント柱１１９の側部および、妻梁１３０と桁梁１３１に形成されたボルト挿通孔１３２〜１３５にボルト１３６，１３７を通して屋梁ジョイント柱と妻梁１３０および桁梁１３１とナット１３８，１３９で締結固定する。なお、妻梁１３０側と桁梁１３１側でボルト１３６，１３７の太さを変えても良い。
【００６４】
最後に、図３６、図３７に示すように、屋根梁ジョイント柱１１９上部の作業孔１２４と、屋根梁ジョイント柱１１９側部のボルト挿通孔１３２，１３３のうちの未使用のものを止水シール１４０，１４１で塞ぐようにする。
【００６５】
このように、建物ユニット４間の継目線１０５部分に、天井部と面一に薄板鋼板１０７を取付けることにより、継目線１０５部分に雨水が溜まって排水できなくなることを防止できる。
【００６６】
また、隣接する防水被覆材６間を連結手段１１０で連結するようにしたことにより、簡単且つ素速く隣接する防水被覆材６間のシールを行わせることができる。また、雨天時のシール性も良好となる。
【００６７】
更に、防水被覆材６の端部に立上がり部１１５を形成し、水切りスカート１１８が形成された屋根梁ジョイント柱１１９で覆うようにすることにより、シール用のスーパーシートなどの防水シール材１２６が防水被覆材６と密着し、簡単にユニット柱頭１０２部分の止水を行わせることができる。
【００６８】
上記以外については、前記各実施の形態と同様の構成を備えており、同様の作用・効果を得ることができる。
【００６９】
【実施の形態４】
図３８〜図４０には、実施の形態４の建物と建物の施工方法を示す。なお、前記各実施の形態と同一乃至均等な部分については、同一符号を附して説明する。
【００７０】
この実施の形態４では、建物ユニット４の天井部および天井部に取付けた足場板１０３に点検用開口１４２が設けられる場合に、点検用開口１４２に該点検用開口１４２周縁の上面と、略面一高さの上面部を有する補強鋼板１４３をネジ１４４などで着脱可能に設けると共に、該補強鋼板１４３の上から前記防水被覆材６を被覆するようにしている。
【００７１】
この実施の形態４のものでは、建物ユニット４の天井部および足場板１０３に形成された点検用開口１４２に、該点検用開口１４２周縁の上面と、略面一高さの上面部を有する前記補強鋼板１４３が設けられているので、該補強鋼板１４３の上に被覆した前記防水被覆材６の上から作業者が、該点検用開口１４２部分を足場にしても、該補強鋼板１４３によって下方から該防水被覆材６が支持され、足場として利用可能な面積が拡大されて、更に、施工作業性を良好なものとすることが出来る。
【００７２】
また、点検用開口１４２周縁の上面と、略面一高さの上面部を有する前記補強鋼板１４３が設けられているので、点検用開口１４２部分の防水被覆材６が凹み、そこへ雨水が溜まって排水できなくなるようなことを防止することができる。
【００７３】
なお、工事終了後は、補強鋼板１４３を取外し、図４０に示すように、防水被覆材６を切り開いて、点検用開口１４２部分に点検口化粧枠１４５を取付ければ、点検口として使用することが可能となる。
【００７４】
上記以外については、前記各実施の形態と同様の構成を備えており、同様の作用・効果を得ることができる。
【００７５】
以上、この発明の実施の形態を図面により詳述してきたが、具体的な構成はこの実施の形態に限らず、この発明の要旨を逸脱しない範囲の設計の変更等があってもこの発明に含まれる。また、各実施の形態の上記以外の組み合わせも可能である。
【００７６】
【発明の効果】
請求項１記載の建物は、建物本体の上面が略平坦になされ、予め防水被覆材で被覆されているので、施工時に雨が降っても上面に水溜まりが生じ難く、雨天の雨仕舞いが容易で、安価となる。また、平坦な足場が確保できるので、屋根作業が安全である。また、屋根構造体の施工が後日になっても、建物本体が雨仕舞いされているので、安心である。さらにまた、建物本体の上面が防水被覆材で被覆されているので、建物完成時に防湿層として働き、小屋裏の結露防止に寄与する。
【００７７】
また、建物本体が複数の建物ユニットを隣接配置してなる建物ユニット群で建物本体が構築され、この建物本体の上面に据えつけられる屋根構造体は、屋根ユニットでもよいが、ユニット工法にとらわれることなく、在来工法が採用できるため、一般の自動設計ツール（住宅ＣＡＤ等）に乗りやすくなる。また、建物本体全体に屋根架構ができるため、最適な部材配置やメンバーが採用でき、無駄を排除して材料コストを下げることができる。
【００７８】
更に、前記防水被覆材が、滑止処理の施されたシート状をしているので前記建物ユニットの上での作業性が良好で安全である。
【００７９】
加えて、防水被覆材を、内側へ折り畳んだ状態で、建物ユニットの天井部に取付けているので、運搬時に防水被覆材が破損されてしまうようなことが防止される。
【００８０】
請求項２記載の発明は、薄板鋼板が、互いに隣接する最上階建物ユニットの上面端部間に掛け渡されて間隙が埋められる。このため、前記防水被覆材の上から作業者が、該間隙部分を足場としても、該薄板鋼板によって下方から該防水被覆材が支持され、足場として利用可能な面積が拡大されて、更に、施工作業性を良好なものとすることが出来る。
【００８１】
請求項３記載のものでは、連結手段が、互いに隣接する最上階の建物ユニットの上面端部間位置で、前記防水被覆材端縁間を防水連結する。このため、防水被覆材の両端縁間から建物ユニット間に雨水が進入する虞が減少する。
【００８２】
このように構成された請求項４記載のものでは、チャック式ファスナによって前記連結手段が形成されているので、ファスナを閉じることにより、防水被覆材の両端縁間から建物ユニット間に雨水が進入する虞を減少させることが出来る。このため、更に、高所作業を減少させて施工性が良好である。
【００８３】
このように構成された請求項５記載のものでは、柱継ぎ部分では、該柱の上面部へ上方から屋根フレームジョイント柱が装着される。そして、該屋根フレームジョイント柱の下部外側縁に設けられた水切りスカートが、装着状態で、柱継ぎ部分側の防水被覆材端縁の立上がり部近傍と重複する。該水切りスカートの前記防水被覆材への当接部分には、予め防水シール材が設けられているので、該屋根フレームジョイント柱を装着するだけで、該水切りスカートと、防水被覆部材との間の間隙が、該防水シール材によって埋められてシールされる。このため、施工性が良好である。
【００８４】
このように構成された請求項６記載のものでは、凹設された点検用開口に、該点検用開口周縁の上面と、略面一高さの上面部を有する前記補強鋼板が設けられているので、該補強鋼板の上から被覆した前記防水被覆材の上から作業者が、該点検用開口部分を足場としても、該補強鋼板によって下方から該防水被覆材が支持され、足場として利用可能な面積が拡大されて、更に、施工作業性を良好なものとすることが出来る。
【００８５】
このように構成された請求項７記載のものでは、請求項１と同様の作用効果を得ることができる。
【００８６】
このように構成された請求項８記載のものでは、互いに隣接する最上階の建物ユニットの上面端部間に継ぎ被覆材を取り付け、この継ぎ被覆材と最上階の建物ユニット上面を被覆する防水被覆材とを重ね合わせて貼付け、その後、屋根構造体を施工するものであるから、建物ユニット上面の雨仕舞いと建物ユニット間の雨仕舞いができる。
【図面の簡単な説明】
【図１】本発明の実施の形態１であって、建物の説明図である。
【図２】建物本体の説明図である。
【図３】建物本体の施工方法を示す説明図である。
【図４】図３の建物本体に屋根構造体を施工する施工方法の説明図である。
【図５】最上階の建物ユニットの上面を防水被覆材で被覆する被覆方法を示す説明図である。
【図６】防水被覆材と継ぎ被覆材とを重ね合わせて貼付ける貼付け方法を示す説明図である。
【図７】四隅の建物ユニットの上面を被覆する方法を示す説明図である。
【図８】四隅の被覆に使用する継ぎ被覆材の斜視図である。
【図９】継ぎ被覆材同士の接合方法を示す説明図である。
【図１０】防水被覆材と継ぎ被覆材の固定方法を示す説明図である。
【図１１】本発明の実施の形態２であって、防水被覆材を内折りした状態を示す斜視図である。
【図１２】防水被覆材を拡げる状態を示す斜視図である。
【図１３】建物ユニットが複数ある場合の、防水被覆材を拡げる状態を示す斜視図である。
【図１４】防水被覆材を拡げた状態と建物ユニットを足場として作業する状態を示す斜視図である。
【図１５】雨水が排水される状態を示す建物ユニットの側面図である。
【図１６】雨水が排水されない状態を示す建物ユニットの側面図である。
【図１７】本発明の実施の形態３であって、複数の建物ユニットを配置した状態を示すの平面図である。
【図１８】建物ユニット間の継目線部分の薄板鋼板を設置する状態を示す部分拡大側面図である。
【図１９】建物ユニット間の継目線部分の薄板鋼板を設置する状態を示す部分拡大斜視図である。
【図２０】図１９の薄板鋼板設置後の状態を示す部分拡大平面図である。
【図２１】中途部にユニット柱頭がある場合の、建物ユニット間の継目線部分の薄板鋼板を設置する状態を示す部分拡大斜視図である。
【図２２】図２１の部分拡大平面図である。
【図２３】建物ユニット間の継目線部分の防水被覆材を連結する状態を示す部分拡大側面図である。
【図２４】防水被覆材を連結する手順を示す部分拡大斜視図である。
【図２５】図２４に続く防水被覆材を連結する手順を示す部分拡大斜視図である。
【図２６】防水被覆材に立上がり部を形成する手順を示す部分拡大斜視図である。
【図２７】図２５に続く防水被覆材を連結する手順を示す部分拡大斜視図である。
【図２８】防水被覆材を連結した後の状態を示す部分拡大平面図である。
【図２９】屋根梁ジョイント柱を取付ける状態を示す部分拡大側面図である。
【図３０】１連用の屋根梁ジョイント柱を取付ける状態を示す部分拡大斜視図である。
【図３１】２連用の屋根梁ジョイント柱を取付ける状態を示す部分拡大斜視図である。
【図３２】４連用の屋根梁ジョイント柱を取付ける状態を示す部分拡大斜視図である。
【図３３】４連用の屋根梁ジョイント柱を取付ける状態を示す図３２と同様の部分拡大斜視図である。
【図３４】連用の屋根梁ジョイント柱を取付ける状態を示す部分拡大側面図である。
【図３５】屋根フレームを組み立てる状態を示す分解斜視図である。
【図３６】屋根梁ジョイント柱の作業孔に止水シールを貼る状態を示す部分拡大斜視図である。
【図３７】屋根梁ジョイント柱のボルト挿通孔に止水シールを貼る状態を示す部分拡大斜視図である。
【図３８】本発明の実施の形態４であって、建物ユニットの点検用開口を補強鋼板で塞いだ状態を示す斜視図である。
【図３９】図３８の部分拡大側面図である。
【図４０】点検用開口に点検口化粧枠を取付けた状態を示す部分拡大側面図である。
【符号の説明】
１ 建物
２ 建物本体
３、４ 建物ユニット
５ 屋根構造体
６ 防水被覆材
７、８ 継ぎ被覆材
１０１ ユニット柱
１０７ 薄板鋼板
１１０ 連結手段
１１１ チャック式ファスナ
１１８ 水切りスカート
１１９ 屋根梁ジョイント柱
１２６ 防水シール材
１４２ 点検用開口
１４３ 補強鋼板
【図１】
0003605296.tif 000002
【図２】
0003605296.tif 000003
【図３】
0003605296.tif 000004
【図４】
0003605296.tif 000005
【図５】
0003605296.tif 000006
【図６】
0003605296.tif 000007
【図７】
0003605296.tif 000008
【図８】
0003605296.tif 000009
【図９】
0003605296.tif 000010
【図１０】
0003605296.tif 000011
【図１１】
0003605296.tif 000012
【図１２】
0003605296.tif 000013
【図１３】
0003605296.tif 000014
【図１４】
0003605296.tif 000015
【図１５】
0003605296.tif 000016
【図１６】
0003605296.tif 000017
【図１７】
0003605296.tif 000018
【図１８】
0003605296.tif 000019
【図１９】
0003605296.tif 000020
【図２０】
0003605296.tif 000021
【図２１】
0003605296.tif 000022
【図２２】
0003605296.tif 000023
【図２３】
0003605296.tif 000024
【図２４】
0003605296.tif 000025
【図２５】
0003605296.tif 000026
【図２６】
0003605296.tif 000027
【図２７】
0003605296.tif 000028
【図２８】
0003605296.tif 000029
【図２９】
0003605296.tif 000030
【図３０】
0003605296.tif 000031
【図３１】
0003605296.tif 000032
【図３２】
0003605296.tif 000033
【図３３】
0003605296.tif 000034
【図３４】
0003605296.tif 000035
【図３５】
0003605296.tif 000036
【図３６】
0003605296.tif 000037
【図３７】
0003605296.tif 000038
【図３８】
0003605296.tif 000039
【図３９】
0003605296.tif 000040
【図４０】
0003605296.tif 000041